(57)【要約】【課題】光ピックアップの送り方向のいずれかであっても、初期負荷を均一化して通常動作の円滑化を図る。【解決手段】この光ピックアップ送り装置には、光ピックアップの一側方で当該光ピックアップの移動方向に沿って延在するように配置され、周面に螺旋状溝を有するリードスクリューと、リードスクリューを回転させるモータと、光ピックアップの一側部に配置され、螺旋状溝に係合するラックとが備えられている。ラックには、光ピックアップの一側部に取り付けられる取付部と、螺旋状溝に噛合する噛合部と、取付部に一体的に形成され、リードスクリューによって噛合部に加わる力の支点がリードスクリュー及び噛合部の噛合点からリードスクリューの接線方向に延在する線上に配置されるように、噛合部を支持する支持部と、噛合部をリードスクリューに押しつけるように、噛合部に対して接線方向に直交する方向に沿う力を付勢する付勢部とが備えられている。【選択図】図１
2009004015.tif 000002
【特許請求の範囲】
【請求項１】
光ピックアップの一側方で当該光ピックアップの移動方向に沿って延在するように配置され、周面に螺旋状溝を有するリードスクリューと、
前記リードスクリューを回転させるモータと、
前記光ピックアップの一側部に配置され、前記リードスクリューの螺旋状溝に係合するラックとを備え、
前記ラックは、
前記光ピックアップの一側部に取り付けられる取付部と、
前記リードスクリューの螺旋状溝に噛合する噛合部と、
前記取付部に一体的に形成され、前記リードスクリューによって前記噛合部に加わる力の支点が当該リードスクリュー及び前記噛合部の噛合点から前記リードスクリューの接線方向に延在する線上に配置されるように、前記噛合部を支持する支持部と、
前記噛合部を前記リードスクリューに押しつけるように、前記噛合部に対して前記接線方向に直交する方向に沿う力を付勢する付勢部とを備えることを特徴とする光ピックアップ送り装置。
【請求項２】
請求項１記載のピックアップ送り装置において、
前記延出部は、前記噛合部を回動自在に支持していることを特徴とする光ピックアップ送り装置。
【発明の詳細な説明】
【技術分野】
【０００１】
本発明は、光ピックアップ送り装置に関する。
【背景技術】
【０００２】
一般的に光ディスクドライブには、光ピックアップを光ディスクの半径方向に移動させる光ピックアップ送り装置が搭載されている。従来の光ピックアップ送り装置では、光ピックアップに取り付けたラックの歯をリードスクリューの溝に噛み合わせ、リードスクリューをモータによって回転させることによって、光ピックアップを移動させるようになっていた（例えば特許文献１参照）。
【０００３】
具体的に説明すると、図４に示すように光ピックアップ送り装置１００には、ベース１０１と、ベース１０１上に配置されたスピンドルモータ１０２と、スピンドルモータ１０２のモータ軸に光ディスク（図示省略）を載置しながら一体に回転するターンテーブル１０３とが設けられている。
【０００４】
また、ベース１０１上には、光ディスクに対して記録及び／又は再生するための光ピックアップ１０４と、光ピックアップ１０４を光ディスクの半径方向に案内する一対のガイドシャフト１０５，１０６と、ガイドシャフト１０５，１０６により支持された光ピックアップ１０４を半径方向に送るリードスクリュー１０７と、リードスクリュー１０７を回転させるモータＭとが設けられている。
【０００５】
そして、光ピックアップ１０４におけるリードスクリュー１０７側の一端部には、当該リードスクリュー１０７に係合するラック１０８が搭載されている。図５はリードスクリュー１０７とラック１０８の係合状態を示す斜視図であり、図６は側面図である。図５及び図６に示すように、ラック１０８には、光ピックアップ１０４に取り付けられる取付部１１０と、取付部１１０の先端から先方に向けて下がるように傾斜する傾斜部１１１と、傾斜部１１１の先端から上方に向けて延出する延出部１１２と、延出部１１２により保持されてリードスクリュー１０７の螺旋状溝１１３と噛合する噛合部１１４と、が設けられており、これらが一体的に形成されている。
【０００６】
また、取付部１１０と延出部１１２との間には、延出部１１２を介して噛合部１１４に所定の力を付勢するための圧縮バネ１１５が介在している。ここで、光ピックアップ１０４を高速で送る際には、モータＭの回転速度を上げる必要があるが、この場合、ラック１０８の噛合部１１４がリードスクリュー１０７の螺旋状溝１１３から外れる、いわゆる歯飛びを起こしやすくなっている。これを防ぐべく、前述の圧縮バネ１１５の付勢力によって、ラック１０８の噛合部１１４をリードスクリュー１０７に押しつけている。
【特許文献１】特開２００６−２６６４６９号公報
【発明の開示】
【発明が解決しようとする課題】
【０００７】
ところで、上述の光ピックアップ送り装置１００であると、リードスクリュー１０７の回転に基づくモーメントが延出部１１２と傾斜部１１１との連結部分（支点Ｐ１）に作用することになるが、上述した位置に支点Ｐ１があることでリードスクリュー１０７の回転方向により、モーメントに差が出ることになる。例えば、時計方向にリードスクリュー１０７が反時計方向に回転した場合（図６の矢印Ｙ１）、リードスクリュー１０７の螺旋状溝１１３と、ラック１０８の噛合部１１４とが接する部分（作用点Ｐ２）に、図の左上に向けて力Ｆ１が伝わり、これにより支点Ｐ１にモーメントＭ１がかかる。一方、時計方向にリードスクリュー１０７が反時計方向に回転した場合（図６の矢印Ｙ２）、作用点Ｐ２には図の左下に向けて力Ｆ２が伝わり、これにより支点Ｐ１にモーメントＭ２がかかる。モーメントＭ１，Ｍ２は大きさが異なるために、リードスクリュー１０７の回転方向、つまり光ピックアップ１０４の送り方向が異なると、ラック１０８の撓み量も異なることになる。
【０００８】
ここで、前述した圧縮バネ１１５による付勢力は、歯飛びを起こさない程度の力に設定する必要があるが、送り方向によってラック１０８にかかる力Ｆ１，Ｆ２や、モーメントＭ１，Ｍ２が異なってしまうと、大きな値に合わせて付勢力を設定しておかねばならない。このため、歯飛びが生じにくい方向（力やモーメントが小さな値の方向）からすると余分に付勢力が付与されることになる。この余分な付勢力は、光ピックアップ１０４の動作に余分な初期負荷として作用してしまい、通常動作を妨げるおそれがあった。
【０００９】
本発明の課題は、光ピックアップの送り方向のいずれかであっても、初期負荷を均一化して通常動作の円滑化を図ることである。
【課題を解決するための手段】
【００１０】
請求項１記載の発明に係る光ピックアップ送り装置は、
光ピックアップの一側方で当該光ピックアップの移動方向に沿って延在するように配置され、周面に螺旋状溝を有するリードスクリューと、
前記リードスクリューを回転させるモータと、
前記光ピックアップの一側部に配置され、前記リードスクリューの螺旋状溝に係合するラックとを備え、
前記ラックは、
前記光ピックアップの一側部に取り付けられる取付部と、
前記リードスクリューの螺旋状溝に噛合する噛合部と、
前記取付部に一体的に形成され、前記リードスクリューによって前記噛合部に加わる力の支点が当該リードスクリュー及び前記噛合部の噛合点から前記リードスクリューの接線方向に延在する線上に配置されるように、前記噛合部を支持する支持部と、
前記噛合部を前記リードスクリューに押しつけるように、前記噛合部に対して前記接線方向に直交する方向に沿う力を付勢する付勢部とを備えることを特徴としている。
【００１１】
請求項２記載の発明は、
請求項１記載のピックアップ送り装置において、
前記延出部は、前記噛合部を回動自在に支持していることを特徴としている。
【発明の効果】
【００１２】
本発明によれば、リードスクリューによって噛合部に加わる力の支点が当該リードスクリュー及び噛合部の噛合点からリードスクリューの接線方向に延在する線上に配置されるように、噛合部が支持されているので、リードスクリューの回転方向が異なったとしても、回転による力は均一に支点に作用することになる。これにより、付勢部による付勢力が余分に加わることを抑制することができ、初期負荷を均一化して通常動作の円滑化を実現することが可能となる。
【発明を実施するための最良の形態】
【００１３】
以下、図を参照にして本発明の実施形態について説明する。図１は本実施形態に係る光ピックアップ送り装置の概略構成を示す側面図である。この図１に示すように、光ピックアップ送り装置１には、光ピックアップ２の一側方で当該光ピックアップ２の移動方向に沿って延在するように配置され、周面に螺旋状溝３を有するリードスクリュー４と、リードスクリュー４を回転させるモータ５と、光ピックアップ２の一側部に配置され、リードスクリュー４の螺旋状溝３に係合するラック６とが備えられている。
【００１４】
ラック６には、光ピックアップ２におけるリードスクリュー４側の一側部に取り付けられる取付部６１と、リードスクリュー４の螺旋状溝３に噛合する噛合部６２と、取付部６１に一体的に形成され、噛合部６２を支持する支持部６３と、噛合部６２をリードスクリュー４に押しつける付勢部６４とが備えられている。
【００１５】
支持部６３は、リードスクリュー４によって噛合部６２に加わる力の支点が当該リードスクリュー４及び噛合部６２の噛合点Ｓ１からリードスクリュー４の接線方向（本実施形態では上下方向）に延在する線Ｓ２上に配置されるように、噛合部６２を支持するものである。
具体的には、支持部６３には、取付部６１から先方に向けて下がるように傾斜する傾斜部６５と、傾斜部６５の先端から上方に延出し、噛合部６２を支持する延出部６６とが設けられている。傾斜部６５と延出部６６とは一体的に形成されていて、その連結部分が線Ｓ２上に配置されている。そして、連結部分には切欠６７が形成されていて、リードスクリュー４の回転により噛合部６２に加わった力が集中することになる。つまりこの連結部分が噛合部６２に加わる力の支点Ｐ３となる。
【００１６】
付勢部６４は、例えば圧縮バネであり、噛合部６２をリードスクリュー４に向けて押しつけるように取付部６１と噛合部６２との間に配置されている。付勢部６４は、伸縮方向が線Ｓ２に対して直交する方向に沿うように配置されているので、当該直交する方向に沿う力を噛合部６２に付勢することになる。
【００１７】
次に、本実施形態の作用について説明する。
まず、モータ５によりリードスクリュー４が反時計回りに回転すると（矢印Ｙ３）、リードスクリュー４及び噛合部６２の噛合点Ｓ１に図における右上に向けて力Ｆ３が伝わるので、支点Ｐ３には、モーメントＭ３（図２参照：Ｍ３＝（Ｆ３の水平方向の分力Ｆ４）×（噛合点Ｓ１と支点Ｐ３との間隔Ｌ））がかかる。そして、噛合部６２には、付勢部６４による付勢力と逆の方向（光ピックアップ２に押しつける方向）に力Ｆ４が加わることになる。
【００１８】
一方、モータ５によりリードスクリュー４が時計回りに回転すると（矢印Ｙ４）、噛合点Ｓ１に図における右下に向けて力Ｆ５が伝わるので、支点Ｐ３には、モーメントＭ４（図２参照：Ｍ４＝（Ｆ５の水平方向の分力Ｆ６）×（噛合点Ｓ１と支点Ｐ３との間隔Ｌ））がかかる。支点Ｐ３は噛合点Ｓ１からリードスクリュー４の接線方向に延在する線Ｓ２上に配されているので、力Ｆ５の大きさや、水平面Ｈに対する角度（角度α）はリードスクリュー４が反時計回りに回転した場合の力Ｆ３の大きさや、水平面Ｈに対する角度βと同じとなる。つまり、モーメントＭ４はモーメントＭ３と同じになる。そして、噛合部６２には、付勢部６４による付勢力と逆の方向に力が加わることになる。
【００１９】
以上のように、本実施形態によれば、リードスクリュー４によって噛合部６２に加わる力の支点Ｐ３が噛合点Ｓ１からリードスクリュー４の接線方向に延在する線Ｓ２上に配置されるように、噛合部６２が支持されているので、リードスクリュー４の回転方向が異なったとしても、回転による力は均一に支点Ｓ１に作用することになる。これにより、付勢部６４による付勢力が余分に加わることを抑制することができ、初期負荷を均一化して通常動作の円滑化を実現することが可能となる。
【００２０】
なお、本発明は上記実施形態に限らず適宜変更可能であるのは勿論である。
例えば、上記実施例では延出部６６と噛合部６２とが固定されている構成を例示したが、付勢部６４の付勢力をより小さく設定するために、延出部６６と噛合部６２とが回動自在に支持されていてもよい。
【００２１】
この場合の実施形態を図３に基づいて説明する。
図３は、図１の実施形態を基に、相違する部分を中心に記載したものであって、螺旋状溝３、リードスクリュー４、傾斜部６５、切欠６７、付勢部６４までは同一構成としており、相違点としては、延出部６６に対して噛合部６２が、軸７０によって回動自在に支持されているものである。
【００２２】
図３においては、回動自在に配置されている噛合部６２が、軸７０を中心に右回りに傾いており、これはリードスクリュー４を回転させるモータが左回りに回転している状態を示す。モータの回転方向が右回りの場合は、噛合部６２は軸７０を中心に左回りに傾く。
【００２３】
このような場合、リードスクリュー４の回転方向に対応して噛合部６２が回動することにより、噛合部６２が螺旋状溝３から外れることを防止することができる。したがって、付勢部６４の付勢力をより小さくすることが可能となり、初期負荷の低減も可能となる。
【図面の簡単な説明】
【００２４】
【図１】本実施形態に係る光ピックアップ送り装置の概略構成を示す側面図である。
【図２】図１の光ピックアップ送り装置に備わるリードスクリューの回転方向の違いにより加わる力を示す説明図である。
【図３】図１の光ピックアップ送り装置の変形例を示す側面図である。
【図４】従来の光ピックアップ送り装置の概略構成を示す斜視図である。
【図５】図４の光ピックアップ送り装置のリードスクリューとラックの係合状態を示す斜視図である。
【図６】図５の係合状態を示す側面図である。
【符号の説明】
【００２５】
１      光ピックアップ送り装置
２      光ピックアップ
３      螺旋状溝
４      リードスクリュー
５      モータ
６      ラック
６１      取付部
６２      噛合部
６３      支持部
６４      付勢部
６５      傾斜部
６６      延出部
６７      切欠
【図２】
2009004015.tif 000003
【図１】
2009004015.tif 000004
【図３】
2009004015.tif 000005
【図４】
2009004015.tif 000006
【図５】
2009004015.tif 000007
【図６】
2009004015.tif 000008